(57)【特許請求の範囲】
【請求項１】
各４本の柱と床梁と天井梁を箱形に組立てた建物ユニットを上下に接合し、上階建物ユニットの少なくとも一端が下階建物ユニットの上面に対して外方にオーバーハングしてなるユニット建物において、
下階建物ユニットの上面に対して外方にオーバーハングする長尺梁の基部を該下階建物ユニットの上面の柱もしくはその近傍にピン接合し、該長尺梁に上階建物ユニットをピン接合してなり、
該長尺梁を該上階建物ユニットの床梁の内部に納めて該床梁とピン接合してなることを特徴とするユニット建物。
【請求項２】
前記長尺梁を上階建物ユニットの床梁の下辺材にスペーサを介してピン接合し、かつ該長尺梁と該床梁の上辺材との間に隙間を設けてなる請求項１に記載のユニット建物。
【発明の詳細な説明】
【０００１】
【発明の属する技術分野】
本発明はユニット建物に関する。
【０００２】
【従来の技術】
従来、ユニット建物として、各４本の柱と床梁と天井梁を箱形に組立てた建物ユニットを上下に接合し、上階建物ユニットの一端が下階建物ユニットの上面に対して外方にオーバーハングしてなるものがある。このユニット建物において、上階建物ユニットのオーバーハング部分の下方への撓み量を小さくするために、上階建物ユニットの床梁の断面を大きくする場合には、標準サイズの建物ユニットを採用できない。
【０００３】
そこで従来技術では、特公平8-14151号公報に記載の如く、下階建物ユニットの一端側に位置する柱の上端部から上階建物ユニットのオーバーハング方向に張出る張出し部材を設け、上階建物ユニットのオーバーハング部分をこの張出し部材で受けるものが提案されている。
【０００４】
【発明が解決しようとする課題】
しかしながら、従来技術では、上階建物ユニットのオーバーハング部分を受ける張出し部材が下階建物ユニットの柱に剛接合されるものになる。このため、上階建物ユニットのオーバーハング部分の荷重が、張出し部材を介して、下階建物ユニットの柱に軸力だけでなく、曲げモーメントも及ぼし、結果として、下階建物ユニットの柱に作用する負担が過大になってその柱に過度の変形、座屈を引き起こす虞がある。
【０００５】
本発明の課題は、上階建物ユニットのオーバーハング部分の荷重が下階建物ユニットの柱に及ぼす負担を軽減することにより、標準仕様の建物ユニットを用いながら、上階建物ユニットのオーバーハング部分の下方への撓み量を小さくすることにある。
【０００６】
【課題を解決するための手段】
請求項１の発明は、各４本の柱と床梁と天井梁を箱形に組立てた建物ユニットを上下に接合し、上階建物ユニットの少なくとも一端が下階建物ユニットの上面に対して外方にオーバーハングしてなるユニット建物において、下階建物ユニットの上面に対して外方にオーバーハングする長尺梁の基部を該下階建物ユニットの上面の柱もしくはその近傍にピン接合し、該長尺梁に上階建物ユニットをピン接合してなり、該長尺梁を該上階建物ユニットの床梁の内部に納めて該床梁とピン接合してなるようにしたものである。
【０００７】
請求項２の発明は、請求項１の発明において更に、前記長尺梁を上階建物ユニットの床梁の下辺材にスペーサを介してピン接合し、かつ該長尺梁と該床梁の上辺材との間に隙間を設けてなるようにしたものである。
【０００８】
【作用】
請求項１の発明によれば下記(1)〜(3)の作用がある。
(1)上階建物ユニットのオーバーハング部分の荷重を受ける長尺梁が下階建物ユニットの上面の柱もしくはその近傍にピン接合されるものであるから、上階建物ユニットのオーバーハング部分の荷重は長尺梁を介して下階建物ユニットの柱に軸力を及ぼし、下階建物ユニットの柱に作用する曲げモーメントをないもの、ないしは少ないものにできる。従って、上階建物ユニットのオーバーハング部分の荷重を下階建物ユニットの柱で受けながら、下階建物ユニットの柱に作用する負担を軽減し、その柱に過度の変形、座屈を引き起こすことがない。
【０００９】
(2)上階建物ユニットのオーバーハング部分の下方への撓み量を小さくするために、上階建物ユニットの床梁の断面を大きくする必要が上述(1)によってなくなる。また、長尺梁は上階建物ユニットにピン接合されるから、上階建物ユニットの床梁を補強するものにならず、上階建物ユニットの柱と床梁の接合仕口の変形を拘束しないから、上階建物ユニットの柱と床梁の接合仕口（溶接部）に標準の接合仕口を用いながら、接合仕口の脆性破壊を生ずることがない。従って、オーバーハング部分をもつ上階建物ユニットも標準仕様の建物ユニットを用いることができる。
【００１０】
(3)長尺梁をオーバーハング部分をもつ上階建物ユニットの床梁の内部に納めたから、
この上階建物ユニットと他の隣接する上階建物ユニットとの間に上下段差を生ずることなく長尺梁を用いることができる。
【００１１】
請求項２の発明によれば下記(4)の作用がある。
(4)長尺梁を上階建物ユニットの床梁の下辺材にスペーサを介してピン接合し、かつ該長尺梁と該床梁の上辺材との間に隙間を設けたから、長尺梁の存在が上述(2)の上階建物ユニットの床梁を補強しないこと、上階建物ユニットの柱と床梁の接合仕口の変形を拘束しないことの確実を図ることができる。
【００１２】
【発明の実施の形態】
図１はユニット建物を示し、（Ａ）は全体側面図、（Ｂ）は要部拡大図、図２はユニット建物の一部を示す斜視図、図３はユニット建物の上下階の接合構造を模式的に示す側面図である。
【００１３】
ユニット建物１は、図１、図２に示す如く、下階建物ユニット１０Ａ、１０Ｂ…の上に上階建物ユニット２０Ａ、２０Ｂ…を接合して構築される。
【００１４】
下階建物ユニット１０Ａ（１０Ｂも同じ）は、各４本の角鋼管製柱１１と形鋼製床梁１２と形鋼製天井梁１３を直方体状の箱形に組立てた骨組構造体である。上階建物ユニット２０Ａ（２０Ｂも同じ）も、各４本の角鋼管製柱２１と形鋼製床梁２２と形鋼製天井梁２３を直方体状の箱形に組立てた骨組構造体である。
【００１５】
ユニット建物１は、上階建物ユニット２０Ａの一端（２本の柱２１、２１の側）を下階建物ユニット１０Ａの上面に対して外方にオーバーハングしている。
【００１６】
このとき、ユニット建物１では、図３に模式的に示す如く、下階建物ユニット１０Ａの上面に対して外方にオーバーハングする形鋼製長尺梁３０の基部を、下階建物ユニット１０Ａの上面（柱１１の柱頭部、天井梁１３の上フランジ）にピン接合し、長尺梁３０に上階建物ユニット２０Ａの床梁２２の下フランジをピン接合する。
【００１７】
具体的には、図１に示す如く、長尺梁３０を上階建物ユニット２０Ａの床梁２２の内部に納め（図１（Ｂ））、(a)長尺梁３０の長手方向の基部側の２ヵ所で、該長尺梁３０の下フランジを、上階建物ユニット２０Ａの床梁２２の２ヵ所の下フランジ（下辺材）と、下階建物ユニット１０Ａの柱１１の柱頭部と天井梁１３の上フランジの基部（対向する柱の近傍）に、スペーサ４１、４２を介してボルト・ナット５１、５２でピン接合するとともに、かつ該長尺梁３０の上フランジと上階建物ユニット２０Ａの床梁２２の上フランジ（上辺材）との間に隙間を設け、(b)長尺梁３０の長手方向の先端部側（オーバーハング方向側）の１ヵ所で、該長尺梁３０の下フランジを、上階建物ユニット２０Ａの床梁２２の１ヵ所（柱２１の近傍）の下フランジ（下辺材）に、スペーサ４３を介してボルト・ナット５３でピン接合するとともに、かつ該長尺梁３０の上フランジと上階建物ユニット２０Ａの床梁２２の上フランジ（上辺材）との間に隙間を設けた。図３は、上述(a)、(b)の接合構造を模式的に示した。
【００１８】
本実施形態によれば、以下の作用がある。
(1)上階建物ユニット２０Ａのオーバーハング部分の荷重を受ける長尺梁３０が下階建物ユニット１０Ａの柱１１の柱頭部などにピン接合されるものであるから、上階建物ユニット２０Ａのオーバーハング部分の荷重は長尺梁３０を介して下階建物ユニット１０Ａの柱１１に軸力を及ぼし、下階建物ユニット１０Ａの柱１１に作用する曲げモーメントをないもの、ないしは少ないものにできる。従って、上階建物ユニット２０Ａのオーバーハング部分の荷重を下階建物ユニット１０Ａの柱１１で受けながら、下階建物ユニット１０Ａの柱１１に作用する負担を軽減し、その柱１１に過度の変形、座屈を引き起こすことがない。
【００１９】
(2)上階建物ユニット２０Ａのオーバーハング部分の下方への撓み量を小さくするために、上階建物ユニット２０Ａの床梁２２の断面を大きくする必要が上述(1)によってなくなる。また、長尺梁３０は上階建物ユニット２０Ａにピン接合されるから、上階建物ユニット２０Ａの床梁２２を補強するものにならず、上階建物ユニット２０Ａの柱２１と床梁２２の接合仕口の変形を拘束しないから、上階建物ユニット２０Ａの柱２１と床梁２２の接合仕口（溶接部）に標準の接合仕口を用いながら、接合仕口の脆性破壊を生ずることがない。従って、オーバーハング部分をもつ上階建物ユニット２０Ａも標準仕様の建物ユニットを用いることができる。
【００２０】
(3)長尺梁３０をオーバーハング部分をもつ上階建物ユニット２０Ａの床梁２２の内部に納めたから、この上階建物ユニット２０Ａと他の隣接する上階建物ユニット１０Ｂとの間に上下段差を生ずることなく長尺梁３０を用いることができる。
【００２１】
(4)長尺梁３０を上階建物ユニット２０Ａの床梁２２の下フランジにスペーサ４１、４２、４３を介してピン接合し、かつ該長尺梁３０と該床梁２２の上フランジとの間に隙間を設けたから、長尺梁３０の存在が上述(2)の上階建物ユニット２０Ａの床梁２２を補強しないこと、上階建物ユニット２０Ａの柱２１と床梁２２の接合仕口の変形を拘束しないことの確実を図ることができる。
【００２２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、図１において、下階建物ユニット１０Ａの柱１１の柱頭部と上階建物ユニット２０Ａの床梁２２の下フランジとスペーサ４１と長尺梁３０の下フランジとをピン接合したボルト・ナット５１は、ナットを伴わないピンジョイントに代えることもできる。
【００２３】
また、本発明は上階建物ユニットの両端が下階建物ユニットの上面に対して両方の外方にオーバーハングしてなるものでも良い。
【００２４】
【発明の効果】
以上のように本発明によれば、上階建物ユニットのオーバーハング部分の荷重が下階建物ユニットの柱に及ぼす負担を軽減することにより、標準仕様の建物ユニットを用いながら、上階建物ユニットのオーバーハング部分の下方への撓み量を小さくすることができる。
【図面の簡単な説明】
【図１】図１はユニット建物を示し、（Ａ）は全体側面図、（Ｂ）は要部拡大図である。
【図２】図２はユニット建物の一部を示す斜視図である。
【図３】図３はユニット建物の上下階の接合構造を模式的に示す側面図である。
【符号の説明】
１  ユニット建物
１０Ａ  下階建物ユニット
２０Ａ  上階建物ユニット
１１、２１  柱
１２、２２  床梁
１３、２３  天井梁
３０  長尺梁
４１、４２、４３  スペーサ
５１、５２、５３  ボルト・ナット
【図１】
0003718451.tif 000002
【図２】
0003718451.tif 000003
【図３】
0003718451.tif 000004